(57)【要約】【課題】簡単な作業によりコネクタ装着部分の防湿・防滴対策が行え、且つ、対策後もコネクタの取り外しが容易に行えるモータのシール構造を提供する。【解決手段】筒状ケース１の外周部に設けた欠切部２に端子部８がモータ軸線方向に位置するように給電コネクタ３を装着したモータ１０のシール構造であって、前記給電コネクタ３と前記ケース１とのモータ周方向の隙間５ａを防水性テープ材１２で覆うと共に、前記給電コネクタ３と前記ケース１とのモータ軸線方向の隙間にシール剤１１を塗布する。【選択図】    図２
2004229379.tif 000002
【特許請求の範囲】
【請求項１】
筒状ケース内にロータや励磁コイル等で構成されるモータ部を収納すると共に、前記筒状ケースの外周部に欠切部を設けて端子部がモータ軸線方向に位置するように給電コネクタを装着したモータのシール構造であって、
前記給電コネクタと前記ケースとのモータ周方向の隙間を防水性テープ材で覆うと共に、前記給電コネクタと前記ケースとのモータ軸線方向の隙間にシール剤を塗布したことを特徴とするモータのシール構造。
【請求項２】
前記防水性テープ材として、多孔性軟質材を基材とした粘着テープを用いることを特徴とする請求項１に記載のモータのシール構造。
【発明の詳細な説明】
【０００１】
【発明の属する技術分野】
本発明は、浴室乾燥機や温水洗浄便座等のように比較的湿度の高い環境下で使用される機器に用いて好適なモータのシール構造に関する。
【０００２】
【従来の技術】
従来より、有底筒状ケース内にロータや励磁コイル等を備えたモータ部を収納すると共に、筒状ケースの外周部に励磁コイルに電源を供給するための給電コネクタを装着したモータが周知である（特許文献１、特許文献２参照）。
【０００３】
図３はコネクタ付きモータの一例を示している。図示のように、コネクタ付きモータ１０（以下、単にモータと呼ぶ）は、筒状ケース１の外周部に設けた欠切部２に合成樹脂製の給電コネクタ３を嵌着したものであって、この給電コネクタ３に外部接続用のケーブルコネクタ４を挿入することにより、モータ内部に電源が供給されるようになっている。
【０００４】
ところで、上記構造のモータ１０を浴室乾燥機のルーバー駆動装置や温水洗浄便座のノズルやバルブの駆動用等として比較的湿度の高い環境下に設置される機器に組み込んで使用する場合、給電コネクタ３とケース１との間に生じる僅かな隙間５を通して水滴がモータ内部に侵入したり、外部の湿度が高いためにモータ１０の内部が結露したりして、内装の励磁コイル、或いは、ケース内部に回路基板等を搭載したモータにあってはこの回路基板も含めたモータ部材に湿気や水滴による絶縁不良やショート等のトラブルが生じ、動作不良を生じる恐れがあった。
【０００５】
このため、従来では、防水・防湿対策として、給電コネクタ３をケース１に装着した後に、給電コネクタ３の外周とケース１との間に生じる隙間５にシリコン樹脂等の軟質樹脂系シール剤１１（シール剤１１）を塗布していた。
尚、給電コネクタ３にケーブルコネクタ４を挿入した後は、ケーブルコネクタ４の挿入部等からの水滴の侵入を防止するため、その挿入部分を含むコネクタ上面部一体にシール剤１１が塗布される。これらのシール対策により、モータ部の水密性が確保でき、高湿環境下での信頼性が維持・継続できる。
【０００６】
【特許文献１】
特開平０９−２６１９４０号公報
【特許文献２】
特開平１１−１２７５５２号公報
【０００７】
【発明が解決しようとする課題】
ところが、上記したコネクタ装着部のシール対策については、出力軸６の軸線方向とケース１の周方向の２方向についてシール剤１１を塗布する必要があり、その作業は極めて煩雑である。特に、安価な小型モータの場合は、塗布作業に要する工数や乾燥に要する時間、或いはシール剤の費用等も無視できないものであり、これらが全てコストアップの要因となっていた。
【０００８】
加えて、給電コネクタ３の周囲をシール剤１１で封止してしまうと、組立後にモータの不良や故障等で給電コネクタ３を取り外す必要が生じた時、乾燥・固化したシール剤によって給電コネクタ３が取り外し難くなっており、無理矢理外して給電コネクタ３やモータ本体を損傷する等の恐れもあることから、モータの再生・再利用も思うように行かなかった。
【０００９】
本発明は、上記した従来の問題点を解消し、簡単な作業によりコネクタ装着部分の防湿・防滴対策が行え、且つ、対策後もコネクタの取り外しが容易に行えるモータのシール構造を提供することを目的としている。
【００１０】
【課題を解決するための手段】
すなわち、請求項１に記載の本発明は、筒状ケース内にロータや励磁コイル等で構成されるモータ部を収納すると共に、前記筒状ケースの外周部に欠切部を設けて端子部がモータ軸線方向に位置するように給電コネクタを装着したモータのシール構造であって、前記給電コネクタと前記ケースとのモータ周方向の隙間を防水性テープ材で覆うと共に、前記給電コネクタと前記ケースとのモータ軸線方向の隙間にシール剤を塗布することによりモータのシール構造としている。
【００１１】
また、請求項２に記載の本発明は、請求項１に記載のモータのシール構造において、前記防水性テープ材として、多孔性軟質材を基材とした粘着テープを用いることを特徴としている。
【００１２】
ここで、請求項１に記載の構成では、粘着テープを用いることにより、コネクタのケース周方向のシール作業が簡素化でき、且つ、その分、煩雑な作業となるシール剤の塗布を少なくできるため、組立の作業性が向上し、モータのコストダウンが図れる。
また、請求項２に記載の構成では、多孔性軟質材による空気層が吸水、吸湿効果を奏するため、優れた防湿・防滴効果が得られるようになる。
【００１３】
【発明の実施の形態】
以下、図１および図２に基づいて本発明の実施形態を説明する。尚、説明を簡略化するため、以下の説明において従来と共通する部分については同一の符号を用いた。
【００１４】
図１は本発明に係るシール構造を適用したコネクタ付きモータ１０（以下、単にモータ１０と呼ぶ）を示している。図１中、符号１は有底円筒状のケースで、内部に図示しないロータ、励磁コイル、減速ギア機構等で構成される従来周知のモータ部が収納されている。符号６は前記ロータを前記減速ギアを介して回動自在に支持する出力軸である。ケース下方の底蓋縁部には、相対向する一対の耳部７が突設され、その穴７ａを利用して当モータ１０を所望の部材にネジ止め・固定できるようになっている。
【００１５】
このケース１の外周部に合成樹脂製の給電コネクタ３が装着されている。当給電コネクタ３は、筒状体の外周部に設けた所定形状の欠切部２（尚、この欠切部２は給電コネクタ３の裏側となっているため、図中、符号２のみを記してある）に給電コネクタ３の嵌合部を合成樹脂の弾性を持って嵌合することにより装着できる。符号３ａは嵌合の際のストッパーである。
【００１６】
前記給電コネクタ３は、出力軸６の軸線方向に向けて、且つ、その端子部８が上向きに位置するように装着されており、この給電コネクタ３の端子部８に両端にコネクタ４ａ、４ｂを設けた外部接続用のケーブルコネクタ４の一方４ａが着脱自在に嵌合されており、他方のコネクタ４ｂを外部回路に接続することにより、外部回路との間で当ケーブルコネクタ４を介してモータ部の励磁コイルや内装の回路基板等への電源供給や信号の授受が行われる。
【００１７】
ところで、上記構成のモータ１０にあっては、給電コネクタ３の装着部分において、ケース１との接触部分に僅かな隙間５ａ、５ｂが生じており、これらの隙間５ａ、５ｂを介し、更には、ケース１の欠切部２を通して外部よりモータ内に水滴が侵入したり、外部の高湿雰囲気によってモータ内に結露が生じる等の不都合が生じることは既述した通りである。
そこで、本実施形態では、モータ１０のケース１に給電コネクタ３を装着した後、以下のような防湿、防滴対策を講じることにしている。
【００１８】
すなわち、図２に示すように、給電コネクタ３とケース１との間に生じるモータ周方向の隙間５ａについては、防水性テープ材１２をケース１の周方向から給電コネクタ３の全面を覆うように貼着して隙間５ａからの水滴等の侵入を阻止すると共に、給電コネクタ３とケース１との間に生じるモータ軸線方向の隙間５ｂについては、従来通り、シリコン樹脂等の軟質樹脂系シール剤１１を塗布・充填して隙間５ｂからの水滴等の侵入を阻止するように構成した。
尚、防水性テープ材１２は必ずしもケース全周に亘って貼着する必要はなく、要は、給電コネクタ３の周方向の隙間５ａ部分を覆うことができれば良い。
【００１９】
当シール構造にあっては、防水性テープ材１２の貼着作業は極めて容易であり、且つ、防水性テープ材１２を用いることにより、煩雑な作業となるシール剤１１の塗布を給電コネクタ上部の一カ所（隙間５ｂ）と従来に比べて少なくできるため、組立の作業性が向上し、モータのコストダウンが図れる。
また、シール剤１１の塗布部分が１カ所であれば、給電コネクタ３の取り外しも従来のように、給電コネクタ３やモータ本体を損傷することなく比較的容易に行えるようになり、よって、モータの再生、再利用が可能となる。
また、給電コネクタ３にケーブルコネクタ４のコネクタ４ａを挿入した後は、コネクタ４ａの挿入部等からの水滴の侵入を防止するため、従来と同様にコネクタ挿入部分、およびコネクタ４ａのケーブル引き出し部分等コネクタ４ａの上面部一体にシール剤１１（図示せず）が塗布される。本構成では、給電コネクタ３を覆うようにモータ周方向に防水性テープ材１２が貼着されており、上記したシール剤１１の塗布箇所がこの防水性テープ材１２によってポット状になっているため、従来に比べてシール剤１１の注入は容易に行える。
【００２０】
ここで、前記防水性テープ材１２として、本実施形態では、基材となる肉薄の多孔性軟質材１３の片面に粘着層１４を設けた粘着テープを用いており、この多孔質性軟質材１３による空気層が吸水、吸湿効果を奏し優れた防湿・防滴効果が得られることになる。従って、モータ部は簡単なシール構造でありながら十分な水密性を確保することができる。
その結果、内装の励磁コイル、或いはケース内に回路基板等を搭載したモータでは、この回路基板も含めて湿気や水滴による絶縁不良やショート等の不具合を防止でき、高湿度の環境下での使用においても高い信頼性を確保・維持することができる。
【００２１】
尚、前記多孔質軟質材１３として、スポンジや多孔質ゴム等が好適である。
【００２２】
【発明の効果】
以上説明したように、請求項１に記載の本発明によれば、給電コネクタとケースとのモータ周方向の隙間を防水性テープ材で覆うと共に、給電コネクタとケースとのモータ軸線方向の隙間にシール剤を塗布するようにしたので、モータのシール構造が簡素化されて組立の作業性が向上し、コストダウンが図れる。
【００２３】
また、請求項２に記載の本発明によれば、防水性テープ材として、多孔性軟質材を基材とする粘着テープを用いたので、多孔性軟質材による空気層が吸水、吸湿効果を奏して優れた防湿・防滴効果が得られ、ケース内のモータ部には十分な水密性が確保されるため、湿気や水滴によるモータ部の絶縁不良やショート等の不具合が防止できる。
【図面の簡単な説明】
【図１】本発明が適用されたモータの構成を示す斜視図。
【図２】本発明に係るモータのシール構造を示す斜視図。
【図３】従来のシール構造を示すモータの斜視図。
【符号の説明】
１  ケース
２  欠切部
３  給電コネクタ
８  端子部
１０  モータ
１１  シール剤
１２  防水性テープ材
１３  多孔質性軟質材
【図１】
2004229379.tif 000003
【図２】
2004229379.tif 000004
【図３】
2004229379.tif 000005